(57)【要約】  発呼者通信端末Ｔ内のデータ処理手段を使用することなく、前記端末の位置に関するデータをコールセンタＥＣＣに送信する方法であって、様々な通信ネットワーク（私設ネットワーク、公衆電話ネットワーク）を介して送信が実行され得る方法。この方法は、専用発呼番号を使用して端末ＴとコールセンタＥＣＣとの間で電話呼が確立されることを求める要求に応答して、呼を確立するシグナリングメッセージをコールセンタに送信するステップを含み、前記メッセージは、選択済みの呼識別子と、発呼側端末Ｔの位置および選択済みの呼識別子に関するデータを含むテキスト系メッセージとを含む。この方法はさらに、シグナリングメッセージとテキストメッセージとがどちらも同じ呼識別子を含んでいる場合に、コールセンタにおいて、コールセンタによって受信されたシグナリングメッセージを、やはりコールセンタによって受信されたテキストメッセージ内の位置データにリンクさせるステップを含む。
2007522751.tif 000002
【特許請求の範囲】
【請求項１】
通信端末（Ｔ）の位置を表すデータをコールセンタ（ＥＣＣ）に送信する方法であり、当該端末（Ｔ）と当該コールセンタ（ＥＣＣ）との間の呼をセットアップすることを求める要求があった場合は、
当該端末（Ｔ）とコールセンタ（ＥＣＣ）との間の呼をセットアップするよう要求し明瞭な呼識別子を含むシグナリングメッセージと、
発呼側端末（Ｔ）の位置と、同じ呼識別子とを表すデータを含む位置決めメッセージと
を構成し、次いでそれらのメッセージをコールセンタに送信するステップと、
コールセンタにおいて、コールセンタによって受信された同じ呼識別子を含むシグナリングメッセージと位置決めメッセージとを関連付けるステップと
から成る方法であって、
明瞭な呼識別子を含むシグナリングメッセージを構成するために、当該端末から送信され呼をセットアップするよう要求するシグナリングメッセージを受信したネットワークノード内で、明瞭な呼識別子が生成され、次いで当該明瞭な呼識別子が、コールセンタに宛てられ呼をセットアップするよう要求するシグナリングメッセージに統合されることと、呼識別子を含む位置決めメッセージを構成するために、位置決めメッセージが生成され、当該位置決めメッセージに同じ呼識別子が統合されることとを特徴とする、方法。
【請求項２】
前記シグナリングメッセージが、テキストメッセージであることを特徴とする、請求項１に記載の方法。
【請求項３】
同期時分割多重を使用する統合サービスデジタル通信網を介してテキストメッセージを送信するために、ユーザ間シグナリングチャネルが使用されることを特徴とする、請求項２に記載の方法。
【請求項４】
前記テキストメッセージが、電子メールの形で送信されることを特徴とする、請求項２に記載の方法。
【請求項５】
前記テキストメッセージが、ＳＭＳタイプのショートメッセージの形で送信されることを特徴とする、請求項２に記載の方法。
【請求項６】
発呼側端末（Ｔ）の位置データが、前記発呼側端末が接続されているネットワーク（ＲＰ）に属する位置決めサーバ（ＳＬ）によって判定され、その後、前記ネットワーク（ＲＰ）に属するテキストメッセージサーバ（ＣＣ１）によって、前記テキストメッセージが生成され送信されることを特徴とする、請求項２に記載の方法。
【請求項７】
前記テキストメッセージが、呼識別子の性質を表すデータ専用のフィールドと、その後に続く前記呼識別子専用のフィールドと、前記位置を表すデータ専用の少なくとも１つのフィールドとを含むことを特徴とする、請求項２に記載の方法。
【請求項８】
呼識別子の前記性質が、
前記シグナリングメッセージに統合され、前記発呼側端末（Ｔ）が接続されているネットワーク（ＲＰ）内の前記発呼側端末（Ｔ）を表すダイレクトダイヤルイン番号と、
前記シグナリングメッセージに統合され、前記発呼側端末（Ｔ）が接続されているネットワーク（ＲＰ）内の前記発呼側端末（Ｔ）を表す疑似ダイレクトダイヤルイン番号と、
前記シグナリングメッセージに統合され、前記発呼側端末（Ｔ）が取り付けられているエンティティを表す一般番号と、
いずれも前記シグナリングメッセージに統合され、それぞれ前記発呼側端末（Ｔ）が取り付けられているエンティティと、前記発呼側端末（Ｔ）が接続されているネットワーク（ＲＰ）内の前記発呼側端末（Ｔ）とを表す一般番号および疑似ダイレクトダイヤルイン番号と、
いずれも前記シグナリングメッセージに統合され、それぞれ前記発呼側端末（Ｔ）が取り付けられているエンティティと、前記発呼側端末（Ｔ）が位置している地理的エリアとを表す一般番号およびエリア識別子と
の内から選択された少なくとも１つの番号を指定することを特徴とする、請求項７に記載の方法。
【請求項９】
前記テキストメッセージが、第１のフィールドが緯度測定値専用であり、第２のフィールドが経度測定値専用であり、第３のフィールドが高度測定値専用である位置データ専用の少なくとも３つのフィールドを含むことを特徴とする、請求項７に記載の方法。
【請求項１０】
前記テキストメッセージが、それぞれ緯度測定値、経度測定値、および高度測定値の分解能専用であり、前記第１、第２、および第３の位置フィールドにそれぞれ関連する少なくとも３つのフィールドを含むことを特徴とする、請求項９に記載の方法。
【請求項１１】
前記テキストメッセージが、高度の測定値タイプを表すデータ専用のフィールドを含むことを特徴とする、請求項８に記載の方法。
【請求項１２】
前記呼識別子が、端末（Ｔ）とコールセンタ（ＥＣＣ）との間の呼をセットアップするよう要求する前記シグナリングメッセージの自由フィールド内に配置されることを特徴とする、請求項１に記載の方法。
【請求項１３】
前記呼識別子が、選択済みの番号セットから選択される番号であることを特徴とする、請求項１に記載の方法。
【請求項１４】
前記セットが、前記発呼側端末（Ｔ）が接続されているネットワークに特有であることを特徴とする、請求項１３に記載の方法。
【請求項１５】
コールセンタ（ＥＣＣ）による通信端末（Ｔ）の位置決めを補助する装置（Ｄ）であって、
端末から送信され端末（Ｔ）とコールセンタ（ＥＣＣ）との間の呼をセットアップするよう要求するシグナリングメッセージを受信し、次いで明瞭な呼識別子を判定し、
次いで、呼をセットアップするよう要求するシグナリングメッセージ内の当該呼識別子を前記コールセンタ（ＥＣＣ）に送信するよう命令し、
前記発呼側端末（Ｔ）の位置と、同じ呼識別子とを表すデータを含むテキストタイプメッセージを生成し、
前記コールセンタ（ＥＣＣ）が前記テキストメッセージの含む位置データを、呼をセットアップするよう要求する前記シグナリングメッセージと関連付けることができるように、前記テキストメッセージを前記コールセンタ（ＥＣＣ）に送信するよう命令する手段（ＭＴ）を備えることを特徴とする、装置（Ｄ）。
【発明の詳細な説明】
【技術分野】
【０００１】
本発明は、特に緊急呼をセットアップする場合に、コールセンタを呼び出した通信端末に関する位置データを前記コールセンタに送信することに関する。
【背景技術】
【０００２】
ここでの「通信端末」という表現は、データまたは信号を通信ネットワークと交換することができる任意の固定または移動端末、特に電話端末を意味する。
【０００３】
当業者なら認識しているように、ある国には、通信端末から呼び出されたコールセンタに、通信端末自体の地理的位置を表すデータを通信する際に、専用番号を使用することを課す法律が存在する。このことは特に、緊急性のある事象を報告する際にセキュリティサービスまたは政府機関と連絡を取るために欧州で使用されている緊急番号１１２、およびアメリカ合衆国で使用されている緊急番号９１１に当てはまる。
【０００４】
現時点では、いくつかの技術的解決策を使用して、特にセルラー式電話ネットワーク（公衆陸上移動ネットワーク（ＰＬＭＮ））、アナログ式電話ネットワーク（公衆交換電話ネットワーク（ＰＳＴＮ））、およびデジタル式電話ネットワーク（統合サービスデジタル通信網（ＩＳＤＮ））では、発呼側通信端末の地理的配置が、少なくとも近似的に判定され得る。
【０００５】
さらに、上記に列挙された各ネットワークでは、運営者が一般に、運営者自身のネットワークに接続されている発呼側端末に関する位置データをコールセンタに送信する立場にある。しかしながら、コールセンタは、端末が前記ネットワーク自体に直接接続されている場合にしか、当該呼データを端末からの電話呼と関連付けることができない。言い換えれば、電話呼および位置データがそこに到達するのに異なるタイプのネットワーク（異種ネットワーク）を次々に通過しなければならない場合に、コールセンタが位置データを電話呼と関連付けることは、不可能ではないにせよ非常に困難である。
【０００６】
コールセンタは固定公衆電話ネットワークに接続されているが、呼は非常に様々なネットワークから生じ得、例えば、緊急コールセンタが公衆交換ネットワークに接続されており、呼のセットアップ要求が企業ネットワーク（ｂｕｓｉｎｅｓｓ  ｎｅｔｗｏｒｋ）に接続されている端末からのものである場合、呼は、同じデータ伝送プロトコルを使用しない異なるタイプの２つのネットワーク、すなわち会社ネットワークと公衆交換ネットワークとを介してセットアップされるので、実際に上記はよくあることである。企業ネットワークのＰＡＢＸは、位置データを送信することもできるが、企業ネットワーク内でデータを送信するのに使用される多数のプロトコルの内の１つを使用することになる。コールセンタが当該データを受信し処理できるようにするには、当該データは該当するプロトコル向けに構成されたゲートウェイを含む必要があるはずである。実際に、企業ネットワーク内で使用される全てのデータ伝送プロトコル向けに構成されたゲートウェイを設けることは可能でない。
【０００７】
国際公開第０２／３３８９７Ａ２号パンフレットは、そのネットワークに対して緊急呼をセットアップするよう要求している通信端末の位置を表すデータを、緊急コールセンタに送信することができる企業ネットワークについて記載している。通信端末は、例えばインターネットプロトコルを使用するデータ伝送ネットワークを介したコールセンタに対するデータタイプの呼または音声タイプの呼をセットアップするのに使用される、データ処理マシン（例えばパーソナルコンピュータまたはボイスオーバインターネットプロトコルタイプの電話）である。一実施形態では、ユーザが、ユーザの端末と緊急コールセンタとの間の電話接続をセットアップしたいと望んだ場合、ユーザの端末は、それが緊急呼であることを認識し、端末の位置を反映したデータを位置決めサーバ（ｌｏｃａｔｉｏｎ  ｓｅｒｖｅｒ）に供給する位置決め装置（ｌｏｃａｔｉｏｎ  ｄｅｖｉｃｅ）をアクティブ化する。位置決めサーバは、位置決めメッセージ（ｌｏｃａｔｉｏｎ  ｍｅｓｓａｇｅ）内に当該データを配置し、データ伝送ネットワークを介して当該メッセージをコールセンタに送信する。これと並行して、端末とコールセンタの間で電話呼がセットアップされる。コールセンタは、位置決めメッセージと、緊急呼をセットアップするよう要求するメッセージとを関連付けなければならない。この関連付けを行うために、端末は、それ自体のデータ処理手段を使用して、呼のセットアップを要求するシグナリングメッセージ内と、発呼側端末の位置を表すデータを含む位置決めメッセージ内とに挿入される明瞭な（ｕｎａｍｂｉｇｕｏｕｓ）呼識別子を供給する。
【発明の開示】
【発明が解決しようとする課題】
【０００８】
上記の従来技術の方法は、非常に広範に使用されているネットワークプロトコル（インターネットプロトコル）と、非常に広範に使用されているネットワーク（インターネット）とを使用して位置データを送信する利点を有するが、あるとしてもごく僅かなデータ処理資源しか有さないデジタルまたはアナログ電話を含めた従来の企業ネットワークでは使用され得ない。この種の電話が緊急電話呼をセットアップするよう要求した場合は、緊急コールセンタは、当該端末が接続されている（企業）ＰＡＢＸの電話番号しか受信しないので、当該端末の正確な位置を判定することができない。端末は、呼のセットアップ要求メッセージ内でより精密な位置データを提供することも、位置決めメッセージが緊急呼のセットアップ要求メッセージと関連付けられることを可能にする明瞭な呼識別子を供給することもできない。
【課題を解決するための手段】
【０００９】
したがって、本発明の第１の態様は、端末内のデータ処理手段を必要としない、通信端末の位置を表すデータをコールセンタに送信する方法を提案することである。
【００１０】
本発明は、通信端末の位置を表すデータをコールセンタに送信する方法であり、当該端末と当該コールセンタとの間の呼をセットアップすることを求める要求があった場合は、
当該端末とコールセンタとの間の呼をセットアップするよう要求し明瞭な呼識別子を含むシグナリングメッセージと、
発呼側端末の位置と、同じ呼識別子とを表すデータを含む位置決めメッセージと
を構成し、次いでそれらのメッセージをコールセンタに送信するステップと、
コールセンタにおいて、コールセンタによって受信された同じ呼識別子を含むシグナリングメッセージと位置決めメッセージとを関連付けるステップと
から成る方法であって、
明瞭な呼識別子を含むシグナリングメッセージを構成するために、端末から送信され呼をセットアップするよう要求するシグナリングメッセージを受信したネットワークノード内で、明瞭な呼識別子が生成され、次いで当該明瞭な呼識別子が、コールセンタに送信され呼をセットアップするよう要求するシグナリングメッセージに統合されることと、呼識別子を含む位置決めメッセージを構成するために、位置決めメッセージが生成され、当該位置決めメッセージに同じ呼識別子が統合されることとを特徴とする方法から成る。
【００１１】
ノードが呼のセットアップ要求メッセージを検出できるようにするために、呼のセットアップを要求するシグナリングメッセージが当該ノードに到達しなければならないことを無視すれば、端末とは無関係のネットワークノード内で呼識別子が作成されるので、上記の方法は、何らの知能も有さない端末、特に従来の電話端末によって使用され得る。
【００１２】
本発明の第２の態様は、一連の異種通信ネットワークを介してコールセンタに通信端末の位置を表すデータを送信することである。
【００１３】
本発明の方法の好ましい一実施形態は、前記シグナリングメッセージが、テキストメッセージであることを特徴とする。
【００１４】
このように特徴付けられる方法は、既存の電気通信ネットワーク全てが、アナログネットワークでさえも、テキストメッセージを送信する手段を含んでいるので、一連の異種通信ネットワークを介して位置を表すデータを送信することができる。
【００１５】
テキストメッセージは、任意の従来のメッセーシングサービスによって、すなわち電子メール（ｅ−ｍａｉｌ）の形で、あるいはＳＭＳ（ショートメッセージサービス）タイプのショートメッセージの形で送信されてもよい。同期時分割多重統合サービスデジタル通信網における一実施形態は、ユーザ間（ｕｓｅｒ−ｔｏ−ｕｓｅｒ）シグナリングチャネルを使用してテキストメッセージを送信することから成る。
【００１６】
発呼側端末の位置データは、例えば、発呼側端末が接続されているネットワークの一部である位置決めサーバによって判定され、その後、当該ネットワークのテキストメッセージサーバによって、テキストメッセージが生成され送信されてもよい。
【００１７】
テキストメッセージは、例えば、呼識別子の性質を表すデータ専用のフィールドと、その後に続く呼識別子専用のフィールドと、位置を表すデータ専用の少なくとも１つのフィールドと、好ましくは（測定済み緯度専用の第１のフィールドと、測定済み経度専用の第２のフィールドと、測定済み高度専用の第３のフィールドのような）３つのフィールドとを含むことができる。
【００１８】
呼識別子の性質は、番号がダイレクトダイヤルイン（ＤＤＩ）番号であるのか、擬似ＤＤＩ番号であるのか、一般番号であるのか、一般番号および擬似ＤＤＩ番号であるのか、それとも一般番号およびエリア識別子であるのかを示すことが好ましい。テキストメッセージはさらに、それぞれ測定済み緯度、測定済み経度、および測定済み高度専用の少なくとも３つのフィールドを含むことができる。
【００１９】
テキストメッセージはさらに、高度の測定値タイプ（例えば、海抜メートル（フィート）または階番号）を表すデータ専用のフィールドを含むことができる。
【００２０】
さらに、シグナリングメッセージにおける上記の３つのフィールドの内の１つに、コア識別子（ｃｏｒｅ  ｉｄｅｎｔｉｆｉｅｒ）が配置されることが好ましい。
【００２１】
最後に、呼識別子は、選択済みの１組の番号から、例えば発呼側端末が接続されているネットワークに特有であり得る番号から選択される番号である。
【００２２】
本発明は、コールセンタによる通信端末の位置決めを補助する装置であって、
端末から送信され端末とコールセンタとの間の呼をセットアップするよう要求するシグナリングメッセージを受信し、次いで明瞭な呼識別子を判定し、
次いで、呼をセットアップするよう要求するシグナリングメッセージ内の当該呼識別子を前記コールセンタに送信するよう命令し、
前記発呼側端末の位置と、同じ呼識別子とを表すデータを含むテキストタイプメッセージを生成し、
前記コールセンタが前記テキストメッセージの含む位置データを、呼をセットアップするよう要求する前記シグナリングメッセージと関連付けることができるように、前記テキストメッセージを前記コールセンタに送信するよう命令する手段を備えることを特徴とする装置も提案する。
【００２３】
本発明のその他の特徴および利点は、以下の詳細な説明を読み、添付の図面を検討すれば明らかとなるであろう。
【発明を実施するための最良の形態】
【００２４】
添付の図面は、本発明の記載の一部を構成すると共に、必要に応じて本発明の定義にも寄与する。
【００２５】
本発明の一目的は、異種通信ネットワークを介し専用番号を、場合によっては緊急番号を使用してコールセンタを呼び出した通信端末の位置データをコールセンタに送信することである。
【００２６】
以下の説明では、「異種通信ネットワーク」という表現は、異なるタイプのネットワーク、例えば私設ネットワーク、無線ローカルエリアネットワーク（ＷＬＡＮ）、Ｂｌｕｅｔｏｏｔｈネットワークまたは超広帯域（ＵＷＢ）ネットワーク、ＧＳＭ、ＧＳＭ／ＧＰＲＳ、ＥＤＧＥネットワークなどの公衆または私設セルラーネットワーク（公衆陸上移動ネットワーク（ＰＬＭＮ））、アナログ電話ネットワーク（公衆交換電話ネットワーク（ＰＳＴＮ））、デジタルネットワーク（統合サービスデジタル通信網（ＩＳＤＮ））、および公衆または私設データネットワーク（インターネットなど）を指す。
【００２７】
さらに、以下の説明では、「通信端末」という表現は、データまたは信号を通信ネットワークと交換することができる任意の固定または移動端末、例えば固定または移動（またはセルラー）電話、携帯情報端末（ＰＤＡ）、通信インターフェイスが装備された固定型または携帯型コンピュータ、あるいはサーバを指す。また、これらの端末には、イーサネット（登録商標）規格８０２．１１に従って動作するネットワークインターフェイスコントローラカードまたは無線アダプタが装備されてもよい。
【００２８】
最後に、以下の説明では、「コールセンタ」という表現は、電話通話をセットアップするために専用番号を使用して呼び出され得、テキストタイプメッセージ、例えば電子メール（ｅ−ｍａｉｌ）またはＳＭＳ（ショートメッセージサービス）タイプのショートメッセージを受信し表示することができる任意の通信端末、例えば表示画面を有する固定またはセルラー電話、通信手段を有する固定または移動コンピュータ、あるいは様々なタイプのそれらの端末の組合せを指す。
【００２９】
本発明は、排他的ではないが、特に緊急性のある事象を報告する際に緊急サービスまたは政府機関と連絡を取るために使用されている緊急コールセンタ向けのものであり、特に、その専用番号が欧州では１１２、アメリカ合衆国では９１１であるコールセンタ向けのものである。
【００３０】
図１は、図示の例では１つまたは複数の企業、例えばオフィスビル管理者（ｏｆｆｉｃｅ  ｂｌｏｃｋ  ｍａｎａｇｅｒ）などの大学またはビル管理者に属し、公衆電話ネットワークＲＰＴに接続されている私設ネットワークＲＰを含む、通信施設（ｃｏｍｍｕｎｉｃａｔｉｏｎ  ｉｎｓｔａｌｌａｔｉｏｎ）を高次に示す図である。
【００３１】
もちろん、本発明は、この例の施設に限定されるものではなく、特にここで選択されているネットワークの組合せおよび数に限定されるものではない。したがって、１つまたは複数のセルラーまたは非セルラー電話ネットワークが、１つまたは複数のデータネットワーク、および／または１つまたは複数の有線もしくは無線ローカルエリアネットワークと共存することもできる。
【００３２】
例えば、私設ネットワークＲＰは、例えば固定電話やコンピュータなどの通信端末Ｔが接続されている呼サーバ（ｃａｌｌ  ｓｅｒｖｅｒ）ＳＡと、私設ネットワークＲＰに接続された端末Ｔに関する特に位置データを含むデータベースＢＤに結合されている、例えば位置情報サーバ（ＬＩＳ）タイプの位置決めサーバＳＬと、ここでは公衆電話ネットワークＲＰＴに結合されている少なくとも１つの交換センタ（またはゲートウェイ）ＣＣ１とを備える有線ローカルエリアネットワーク（ＬＡＮ）である。
【００３３】
交換センタＣＣ１は、例えば企業ＰＡＢＸ（構内自動交換機）である。
【００３４】
以下では例示のために、交換センタＣＣ１が、電話呼交換センタ（ＣＣＡＴ）とメッセージ交換センタ（ＣＣＭ）の機能（ＳＭＳタイプのメッセージと電子メールタイプのメッセージ）を併せ持っているものとする。しかしながら、これらの機能はもちろん、異なるセンタによって実装されてもよい。
【００３５】
位置決めサーバＳＬは、それ自体のネットワークＲＰに接続されている端末Ｔの地理的配置を判定するように構成されている。このタスクを行うために、どのような手段が想定されてもよい。例えば、データベースＢＤ内に格納された表を参照して、端末Ｔの識別子とビル内の部屋との整合がとられてもよい。この場合では、位置決めサーバＳＬは、端末Ｔの識別子を受信すると、端末Ｔがその内でネットワークＲＰに接続している部屋に対応する地理的配置を判定しなければならない。その代わりに、上記の表が直接、端末Ｔの識別子と地理的配置との整合をとることもできる。この場合では、位置決めサーバＳＬは、端末Ｔの識別子を受信すると、上記の表から直接端末Ｔの地理的配置を判定する。
【００３６】
本発明は、端末の位置決めの態様に関するものではなく、位置データをコールセンタＥＣＣに送信する態様に関するものであることに留意することが重要である。したがって、端末を位置決めするためのどのような技法が想定されてもよい。したがって、端末Ｔが、例えばＵＭＴＳタイプのセルラーネットワークに接続された移動（またはセルラー）電話である場合は、端末Ｔは、端末Ｔが位置しているセルを判定することによって、また場合によってはそれ自体の以前の位置および／または隣接セルの地理的配置を使用する三角測量によっても、近似的に位置決めされ得る。この種の位置決めは一般に、移動端末Ｔ上の静的および動的情報（最後に使用されたセルに関して知られている最終的な位置または配置）を含む、当業者がホームロケーションレジスタ（ＨＬＲ）と呼ぶものの助けを借りて行われる。
【００３７】
公衆電話ネットワークＲＰＴは、例えば交換センタ（またはゲートウェイ）ＣＣ２によって私設ネットワークＲＰの交換センタＣＣ１に接続されるＩＳＤＮタイプのデジタルネットワークである。
【００３８】
以下では例示のために、交換センタＣＣ２が、電話呼交換センタ（ＣＣＡＴ）とメッセージ交換センタ（ＣＣＭ）の機能（ＳＭＳタイプのメッセージまたは電子メールタイプのメッセージ）をグループ化しているものとする。しかしながら、これらの機能はもちろん、異なるセンタによって実装されてもよい。
【００３９】
図示の例では、単一のコールセンタＥＣＣが、公衆電話ネットワークＲＰＴに接続されている。しかしながら、複数のコールセンタが、この施設の公衆電話ネットワークＲＰＴあるいは他の電話またはデータネットワークに接続されてもよい。
【００４０】
以下では例示のために、コールセンタＥＣＣは、緊急番号１１２を入力することによって連絡がとられ得る緊急コールセンタであるものとする。しかしながら、入力される番号は、公共安全応答センタ（ｐｕｂｌｉｃ  ｓａｆｅｔｙ  ａｎｓｗｅｒｉｎｇ  ｐｏｉｎｔ：ＰＳＡＰ）と連絡を取るためにアメリカ合衆国で使用されている番号９１１であってもよい。
【００４１】
本発明によれば、ここでは私設ネットワークＲＰに接続された端末Ｔが、番号１１２を入力することによって緊急コールセンタＥＣＣに対する電話呼をセットアップするよう要求する度に、前記接続をセットアップするための、選択された呼識別子と共に発呼側端末Ｔの位置と選択された呼識別子とを表すデータを含むテキストタイプメッセージも含むシグナリングメッセージが、緊急コールセンタＥＣＣに送信される。緊急コールセンタＥＣＣによって受信されたシグナリングメッセージは、緊急コールセンタＥＣＣによって受信されたテキストメッセージ内に含まれる位置データと、それらのメッセージが同じ呼識別子を含んでいる場合に関連付けられる。
【００４２】
シグナリングメッセージは、オペレータによって発呼側と着呼側の端末にとって使用可能な状態にされ、それによってそれぞれの端末がそれぞれの呼の存続期間全体にわたってエンドツーエンドタイプのシグナリングを交換できるようになる、ユーザ間シグナリングチャネル上で送信されることが好ましい。
【００４３】
当業者なら認識しているように、このユーザ間シグナリングチャネルは、少なくとも１２８バイトのシグナリングメッセージを（無料で）送信するのに使用される。したがって、暫くの間発呼側端末Ｔと関連付けられ、シグナリングメッセージ内の少数のバイト（例えば２バイト）を占有する呼識別子（呼番号）を、緊急コールセンタＥＣＣに送信することが可能である。緊急呼のコンテキストでは、当該シグナリングメッセージは、呼識別子に先行し、当該呼識別子の同期化を示す情報を含んでいることが好ましい。
【００４４】
（緊急）呼要求の検出とその後に続く呼識別子の判定およびテキストメッセージの生成とを可能にするために、本発明は、呼サーバＳＡに位置決め補助装置（ｌｏｃａｔｉｏｎ  ａｉｄ  ｄｅｖｉｃｅ）Ｄを装備することを提案する。
【００４５】
当該装置Ｄは、端末Ｔに接続され、したがってそれらの端末Ｔの接続セットアップ要求を受信し、また、公衆電話ネットワークＲＰＴにシグナリングメッセージおよびテキストメッセージを送信する交換センタＣＣ１に接続されるので、呼サーバＳＡ内に設置されることが好ましい。
【００４６】
装置Ｄは、番号１１２を使用する要求を抽出するために、端末Ｔの接続セットアップ要求時に端末Ｔによって入力される番号を観察するプロセッサモジュールＭＴを備える。もちろん、プロセッサモジュールＭＴは、選択された複数の緊急番号を使用する要求を抽出するように構成されてもよい。
【００４７】
プロセッサモジュールＭＴは、要求を保持したときは、好ましくは発呼側端末Ｔが接続されている私設ネットワークＲＰに特有であり得る所定の番号セットから選択される明瞭なコア識別子を直ちに生成する。このセットは、例えばＥ．１６４セットあるいはＥＬＩＮセットであってもよい。
【００４８】
次いで、交換センタＣＣ１がユーザ間シグナリングチャネル上で公衆電話ネットワークＲＰＴおよび緊急コールセンタＥＣＣに呼識別子を送信するために、プロセッサモジュールＭＴは、交換センタＣＣ１に対して、呼識別子を呼のセットアップ要求シグナリングメッセージと統合するよう命令する。
【００４９】
プロセッサモジュールＭＴは、呼識別子を判定するのと略同時に、位置決めサーバＳＬを参照して、その発呼側端末Ｔの接続セットアップ要求内に含まれる発呼側端末Ｔの（電話）識別子に対応する地理的配置（または位置）を取得する。
【００５０】
プロセッサモジュールＭＴは、発呼側端末Ｔの位置を表すデータを有している場合は、当該位置データを含むテキストメッセージを生成し、次いで交換センタＣＣ１に対して、そのテキストメッセージを公衆電話ネットワークＲＰＴおよびここでは番号１１２で指定される緊急コールセンタＥＣＣに送信するよう命令する。
【００５１】
発呼側端末Ｔによって使用される（緊急）番号は、私設ネットワークＲＰの様々な端末Ｔが位置しているサイト、敷地、またはエリアに適合されるように、同一または異なる応答に関連する２つ以上の（緊急）コールセンタを指定できることに留意することが重要である。この場合では、プロセッサモジュールＭＴは、緊急コールセンタにシグナリングメッセージおよびテキストメッセージを送信するために、発呼側端末Ｔの位置に対応する緊急コールセンタの位置／コールセンタ対応表を探索するように構成されている。
【００５２】
交換センタＣＣ１は、装置Ｄによって生成されたテキストメッセージを好ましくは電子メール（ｅ−ｍａｉｌ）の形で送信し、あるいは、さらに好ましくはＳＭＳ（ショートメッセージサービス）タイプのショートメッセージの形で送信する。
【００５３】
テキストメッセージは、呼識別子専用の少なくとも１つのフィールドと、位置データ専用の１つのフィールドとを含む。測定済み緯度専用の第１のフィールドと、測定済み経度専用の第２のフィールドと、測定済み高度専用の第３のフィールドとの３つの位置データフィールドが、設けられることが好ましい。
【００５４】
一方、テキストメッセージは、特にそれがＳＭＳタイプのメッセージである場合には、呼識別子の性質を表すデータ専用の少なくとも１つのフィールドも含んでいることが好ましい。このコンテキストでは、「呼識別子の性質」という表現は、呼識別子がダイレクトダイヤルイン（ＤＤＩ）番号を指定しているのか、擬似ＤＤＩ番号を指定しているのか、一般番号を指定しているのか、一般番号および擬似ＤＤＩ番号を指定しているのか、あるいはエリア識別子（または番号）を伴う一般番号を指定しているのかを示す情報を指す。
【００５５】
より厳密には、発呼側端末Ｔは、例えば番号８８  ８８  ８９  ９９  ９９を使用して、企業内のＤＤＩ番号９９９９９に外部からアクセス可能な状態にすることができる。この場合では、値「ＤＤＩ」を有する性質フィールドが送信された後に、値８８  ８８  ８９  ９９  ９９を有する番号フィールドが送信される。
【００５６】
発呼側端末Ｔが、ＤＤＩタイプでない短縮ダイヤル番号９９９９９を有する場合は、発呼側端末Ｔの属する企業の番号は、８８  ８８  ８９  ９９  ００であり、当該企業は、２０回線を有し、したがって、８８  ８８  ８９  ９９  ０１から８８  ８８  ８９  ９９  ２０の範囲の番号から選択される擬似ＤＤＩを使用して、発呼側端末Ｔが指定され得る。この場合では、例えば値「擬似ＤＤＩ」の性質フィールドが送信された後に、値８８  ８８  ８９  ９９  ０８を有する番号フィールドが送信される。
【００５７】
発呼側端末Ｔが、ＤＤＩタイプでなく、発呼側端末Ｔのユーザが（当該位置データが別の場所からくることを知っているので）通信することを望まない短縮ダイヤル番号９９９９９を有し、発呼側端末Ｔの属する企業の番号が、８８  ８８  ８９  ９９  ００である場合は、（その企業の）一般番号を使用して、発呼側端末Ｔが指定され得る。この場合では、値「一般」を有する性質フィールドが送信された後に、値８８  ８８  ８９  ９９  ００を有する番号フィールドが送信される。
【００５８】
発呼側端末Ｔが、ＤＤＩタイプでなく、発呼側端末Ｔのユーザが発呼側端末Ｔの属する企業の番号（例えば８８  ８８  ８９  ９９  ００）と共に通信したいと望む短縮ダイヤル番号９９９９９を有する場合は、２つの番号を使用して、（例えば）「両方」のタイプの性質に対応する発呼側端末Ｔが指定され得る。この場合では、値「両方」を有する性質フィールドが使用された後に、値８８  ８８  ８９  ９９  ００を有する第１の番号フィールドが使用され、値９９９９９を有する第２のフィールドが使用される。
【００５９】
コールセンタＥＣＣに知られている複数のエリアに、例えば１０メートル×１０メートルの複数のエリアに空間が局所的に分割されている場合は、発呼側端末Ｔは、エリア番号１４内に位置し、発呼側端末Ｔの属する企業の番号は、８８  ８８  ８９  ９９  ００であり、（その企業の）エリア番号を使用して、発呼側端末Ｔが指定され得る。この場合では、値「エリア」を有する性質フィールドが送信された後に、値８８  ８８  ８９  ９９  ００を有する第１の番号フィールドが送信され、値１４を有する第２のフィールドが送信される。
【００６０】
テキストメッセージは、測定済み緯度、経度および高度の分解能専用の１つまたは複数の他のフィールドを等しく含むことができる。
【００６１】
テキストメッセージは、高度の測定値タイプを表すデータ専用のフィールドを等しく含むことができる。位置決めサーバＳＬから供給される測定済み高度は、必ずしも海抜に対するまたはビルがその上に立つ地表に対する絶対測定値である必要はない。多くの階を含むビル内では、例えば接続セットアップ要求が実行された階の番号を供給することの方が厳密であることもある。また、測定値は、国に応じてメートル単位で与えられてもフィート単位で与えられてよく、あるいは他の任意のローカル単位で与えられてもよい。したがって、この「高度タイプ」フィールドは、測定値の単位（メートル、フィート、レベル（または階）など）を指定する。
【００６２】
図２は、ＳＭＳタイプのテキストメッセージの一例を表している。例示のためにのみ与えられるこの例では、テキストメッセージは、呼識別子の性質専用の第１のフィールドと、その後に続く呼識別子専用の第２のフィールドと、その後に続く緯度測定値の分解能専用の第３のフィールドと、その後に続く緯度測定値専用の第４のフィールドと、その後に続く経度測定値の分解能専用の第５のフィールドと、その後に続く経度測定値専用の第６のフィールドと、その後に続く高度測定値の分解能専用の第７のフィールドと、その後に続く高度の測定値タイプ専用の第８のフィールドと、最後にその後に続く高度測定値専用の第９のフィールドとを含む。
【００６３】
位置測定値の分解能専用の各フィールドは、例えば該当する位置測定値の有意ビットの数を示す６ビットで定義されてもよく、該当する位置測定値の数は一般に、整数の場合には９から、ある小数の場合には２５までのいくつかのビットで定義される。さらに、経度測定値は、例えば赤道の北＋９０°から赤道の南−９０°の間で定義される。さらに、経度測定値は、例えば本初子午線の東に＋１８０°と本初子午線の西に−１８０°との間で定義される。最後に、子午線が両極で収束するとすれば、経度の精度は、小数ビットの数だけでなく緯度にも結び付けられる。
【００６４】
緊急コールセンタＥＣＣは、受信したシグナリングメッセージとテキストメッセージとを監視してそれらを関連付けようと試みる関連付けモジュールＭＡを備える。
【００６５】
より厳密には、緊急コールセンタＥＣＣは、ユーザ間シグナリングチャネル上でシグナリングメッセージを受信した場合は、発呼側端末Ｔとの電話接続をセットアップする。次いで、発呼側端末Ｔのユーザおよび緊急コールセンタＥＣＣのオペレータが、互いに話すことができる。次いで、緊急コールセンタＥＣＣが、ここではＳＭＳタイプのメッセージの形のテキストメッセージを受信した場合は、それ自体の関連付けモジュールＭＡが、そのテキストメッセージが含んでいる呼識別子を、先にユーザ間シグナリングチャネル上で受信された１つ（または複数）のシグナリングメッセージ内に含まれる１つまたは複数の呼識別子と比較する。受信されたテキストメッセージ内に含まれる呼識別子が、セットアップされた接続に関連するシグナリングメッセージ内に含まれる呼識別子と同一である場合は、関連付けモジュールＭＡは、前記受信されたテキストメッセージ内に含まれる位置データを当該シグナリングメッセージと関連付け、したがって対応する呼と関連付ける。次いで、関連付けモジュールＭＡは、緊急コールセンタＥＣＣの画面上への少なくとも位置データの表示を命令する。別法として、位置データは、地図上または市街地図上での呼のサイトを位置決めするために緊急コールセンタＥＣＣ内に設置されたアプリケーションに供給されてもよい。同じアプリケーションまたは別のアプリケーションが、データベースに結合され、それにより、例えば、場合によっては企業の外部すなわち企業が位置しているエリアの外部のアクセスポイントから、位置決めされた場所に到達する最良の道順が指定さてもよい。この種のデータベースは、列挙される様々な場所との対応関係で、例えばそこに格納されまたはそこで製造される何らかの材料の危険性に関する情報を等しく含むことができる。
【００６６】
したがって、緊急コールセンタＥＣＣで呼を処理しているオペレータは、オペレータの画面上で、少なくとも接続がセットアップされている端末Ｔの位置を自動的に見ることになる。次いで、オペレータは、発呼側端末Ｔのユーザからオペレータに供給された情報に照らして、取るべき措置を決定することができる。オペレータは特に、受信された位置データによって定義された呼の位置に、応答チームを送るように決定することができる。
【００６７】
位置決め補助装置Ｄと、特にそれ自体のプロセッサモジュールＰＭと、関連付けモジュールＭＡとは、電子回路、ソフトウェア（または電子データ処理）モジュール、あるいは回路とソフトウェアの組合せの形をとることができる。
【００６８】
本発明は、単なる例示として上述された位置決め補助装置Ｄ、呼サーバＳＡ、コールセンタＥＣＣ、および伝送方法の諸実施形態に限定されるものではなく、添付の特許請求の範囲内にある当業者が想定し得る全ての変形形態を包含するものである。
【図面の簡単な説明】
【００６９】
【図１】本発明の方法を実装するための位置決め補助装置の一実施形態が装備された通信施設の一実施形態の図である。
【図２】本発明のテキストメッセージの一例の図である。
【図１】
2007522751.tif 000003
【図２】
2007522751.tif 000004
【国際調査報告】
2007522751.tif 000005
2007522751.tif 000006
2007522751.tif 000007
2007522751.tif 000008
2007522751.tif 000009
2007522751.tif 000010